(57)【要約】  端末装置は、コンテンツの再生及び記録を行うことが可能に構成されている。例えば、ＢＤなどの高記録密度の光ディスクの再生及び記録を行う。オファー情報受信手段は、ＡＡＣＳより規定されたマネージドコピーを行う際の条件を示すオファー情報を、マネージドコピーサーバから受信する。オファー情報送信手段は、オファー情報をサーバ装置に登録するために、オファー情報をサーバ装置に送信する。こうすることで、複数のコンテンツのオファー情報をサーバ装置で管理することができ、複数のユーザでオファー情報を適切に共有することが可能となる。よって、例えば、実際にディスクを購入しなくても、そのディスクのオファー情報を事前に知ることが可能となる。
2011007407.tif 000002
【特許請求の範囲】
【請求項１】
媒体に記録されたコンテンツの再生及び記録を行う端末装置であって、
前記コンテンツのコピーを行う際の条件を示すオファー情報を、コピー管理サーバから受信するオファー情報受信手段と、
前記オファー情報受信手段によって受信されたオファー情報をサーバ装置に登録するために、前記オファー情報を前記サーバ装置に送信するオファー情報送信手段と、を備えることを特徴とする端末装置。
【請求項２】
前記媒体が挿入されることによって、当該媒体に記録されたコンテンツについてのオファー情報を前記コピー管理サーバに要求するオファー情報要求手段を有することを特徴とする請求項１に記載の端末装置。
【請求項３】
コンテンツの再生回数に関する情報を前記サーバ装置に送信する、送信手段を有することを特徴とする請求項１に記載の端末装置。
【請求項４】
前記端末装置において前記コンテンツのコピーが行われた場合に、前記コピーが行われたことを示す情報を前記サーバ装置に送信する手段と、
前記サーバ装置において、複数の前記端末装置から受信された前記コピーが行われたことを示す情報に基づいて生成された、人気のあるコンテンツのタイトルを示す情報を受信する手段と、
前記人気のあるコンテンツのタイトルを示す情報を表示する手段と、を備えることを特徴とする請求項１乃至３のいずれか一項に記載の端末装置。
【請求項５】
媒体に記録されたコンテンツの再生及び記録を行う端末装置であって、
前記コンテンツのコピーを行う際の条件を示すオファー情報を、コピー管理サーバから受信する第１オファー情報受信手段と、
前記第１オファー情報受信手段によって受信されたオファー情報を記憶するオファー情報記憶手段と、
前記オファー情報記憶手段に記憶されたオファー情報を送信するオファー情報送信手段と、を備えることを特徴とする端末装置。
【請求項６】
前記端末装置とは異なる端末装置が有する前記オファー情報記憶手段に記憶されたオファー情報を、当該端末装置が有する前記オファー情報送信手段から受信する第２オファー情報受信手段を備えることを特徴とする請求項５に記載の端末装置。
【請求項７】
前記オファー情報は、前記コンテンツにおいてコピーが許諾されるタイトル、及び前記タイトルをコピーするのに必要な価格に関する情報を含むことを特徴とする請求項１乃至６のいずれか一項に記載の端末装置。
【請求項８】
請求項１乃至４のいずれか一項に記載の端末装置から、コンテンツのコピーを行う際の条件を示すオファー情報を受信するオファー情報受信手段と、
前記オファー情報受信手段によって受信されたオファー情報を記憶するオファー情報記憶手段と、
前記端末装置からの要求に応じて、前記オファー情報記憶手段に記憶されたオファー情報を前記端末装置に送信するオファー情報送信手段と、を備えることを特徴とするサーバ装置。
【請求項９】
前記端末装置においてコピーが行われた場合に、前記コピーが行われたことを示す情報を前記端末装置から受信する手段と、
複数の前記端末装置から受信された前記コピーが行われたことを示す情報に基づいて、人気のあるコンテンツのタイトルを示す情報を生成する手段と、
前記人気のあるコンテンツのタイトルを示す情報を前記端末装置に送信する手段と、を備えることを特徴とする請求項８に記載のサーバ装置。
【請求項１０】
前記オファー情報記憶手段に既に前記オファー情報が記憶されているコンテンツと同一のコンテンツについての前記オファー情報が前記オファー情報受信手段によって受信された場合、既に記憶されている前記オファー情報を、受信された前記オファー情報によって更新又は追加する手段を備えることを特徴とする請求項８又は９に記載のサーバ装置。
【請求項１１】
媒体に記録されたコンテンツの再生及び記録を行う装置によって実行される情報処理方法であって、
前記コンテンツのコピーを行う際の条件を示すオファー情報を、コピー管理サーバから受信するオファー情報受信工程と、
前記オファー情報受信工程で受信されたオファー情報をサーバ装置に登録するために、前記オファー情報を前記サーバ装置に送信するオファー情報送信工程と、を備えることを特徴とする情報処理方法。
【請求項１２】
媒体に記録されたコンテンツの再生及び記録を行う装置によって実行される情報処理方法であって、
前記コンテンツのコピーを行う際の条件を示すオファー情報を、コピー管理サーバから受信する第１オファー情報受信工程と、
前記第１オファー情報受信工程で受信されたオファー情報を記憶するオファー情報記憶工程と、
前記オファー情報記憶工程で記憶されたオファー情報を送信するオファー情報送信工程と、を備えることを特徴とする情報処理方法。
【請求項１３】
媒体に記録されたコンテンツの再生及び記録を行う装置によって実行される情報処理方法であって、
前記コンテンツのコピーを行う際の条件を示すオファー情報を、コピー管理サーバから受信する第１オファー情報受信工程と、
前記第１オファー情報受信工程で受信されたオファー情報に所定の処理を施す処理工程と、
前記所定の処理が施されたオファー情報を記憶するオファー情報記憶工程と、
前記オファー情報記憶工程で記憶されたオファー情報を送信するオファー情報送信工程と、を備えることを特徴とする情報処理方法。
【請求項１４】
請求項１乃至４のいずれか一項に記載の端末装置から、コンテンツのコピーを行う際の条件を示すオファー情報を受信するオファー情報受信工程と、
前記オファー情報受信工程で受信されたオファー情報を記憶するオファー情報記憶工程と、
前記端末装置からの要求に応じて、前記オファー情報記憶工程で記憶されたオファー情報を前記端末装置に送信するオファー情報送信工程と、を備えることを特徴とする情報処理方法。
【発明の詳細な説明】
【技術分野】
【０００１】
本発明は、端末装置、サーバ装置、及びそれらに用いられる情報処理方法に関する。
【背景技術】
【０００２】
従来から、音楽ＣＤ（Ｃｏｍｐａｃｔ  Ｄｉｓｃ)に予め記録されているいわゆる目次情報であるＴＯＣ（Ｔａｂｌｅ  ｏｆ  Ｃｏｎｔｅｎｔｓ）情報をサーバに送信して、サーバ側においてＴＯＣ情報に対応して登録された曲名等のコンテンツ関連情報をユーザに提供するサービスが知られている。例えば、特許文献１には、このようなＣＤにおけるＴＯＣ情報を利用したコンテンツ関連情報の取得処理と同様のサービス提供処理を、ＤＶＤ(Ｄｉｇｉｔａｌ  Ｖｅｒｓａｔｉｌｅ  Ｄｉｓｃ)やＢＤ（Ｂｌｕ−ｒａｙ  Ｄｉｓｃ）などにおいても実現できるようにした技術が提案されている。
【先行技術文献】
【特許文献】
【０００３】
【特許文献１】特開２００８−１４０４４０号公報
【発明の概要】
【発明が解決しようとする課題】
【０００４】
ところで、ＢＤなどで用いられる、ＡＡＣＳ（Ａｄｖａｎｃｅｄ  Ａｃｃｅｓｓ  Ｃｏｎｔｅｎｔ  Ｓｙｓｔｅｍ）より規定されたマネージドコピー（Ｍａｎａｇｅｄ  Ｃｏｐｙ）が知られている。マネージドコピーは、ネットワーク経由で認証を行うことにより、デジタルコンテンツのコピーを許可する著作権保護技術である。具体的には、この技術では、ＢＤなどのディスクを購入したユーザが、然るべき手続きを経て、コンテンツ提供者が定めた価格を支払うことで、そのディスク内のコンテンツの全体又は一部を、ローカルのハードディスクやリームバブルメディアなどにコピーすることが許可される。詳しくは、ユーザは、そのディスクのコンテンツ提供者のサーバと通信を行って、コピー可能なタイトルやコピーするのに必要な価格などを含む情報（以下、「オファー情報」と呼ぶ。）を取得して、そのオファー情報に応じて課金手続きを行うことでコピーを行うことが可能となる。【０００５】
そのため、ユーザは、実際にディスクを購入して、そのディスクのコンテンツ提供者のサーバ（以下、「マネージドコピーサーバ」とも呼ぶ。）にアクセスしないと、オファー情報を入手することができなかった。例えば、ユーザは、ディスクの購入前において、そのディスクでどういったコピーが許可されているか、また、そのコピーにかかる価格はいくらなのか、といった情報を知ることができなかった。なお、前述した特許文献１には、このような課題及びその解決手段については記載されていない。【０００６】
本発明が解決しようとする課題としては、上記のものが一例として挙げられる。本発明は、オファー情報を共有することで、オファー情報を適切且つ簡便に取得することが可能な端末装置、サーバ装置、及びそれらに用いられる情報処理方法を提供することを目的とする。
【課題を解決するための手段】
【０００７】
請求項１に記載の発明は、媒体に記録されたコンテンツの再生及び記録を行う端末装置において、前記コンテンツのコピーを行う際の条件を示すオファー情報を、コピー管理サーバから受信するオファー情報受信手段と、前記オファー情報受信手段によって受信されたオファー情報をサーバ装置に登録するために、前記オファー情報を前記サーバ装置に送信するオファー情報送信手段と、を備えることを特徴とする。【０００８】
請求項５に記載の発明は、媒体に記録されたコンテンツの再生及び記録を行う端末装置において、前記コンテンツのコピーを行う際の条件を示すオファー情報を、コピー管理サーバから受信する第１オファー情報受信手段と、前記第１オファー情報受信手段によって受信されたオファー情報を記憶するオファー情報記憶手段と、前記オファー情報記憶手段に記憶されたオファー情報を送信するオファー情報送信手段と、を備えることを特徴とする。【０００９】
請求項８に記載の発明は、サーバ装置において、請求項１乃至４のいずれか一項に記載の端末装置から、コンテンツのコピーを行う際の条件を示すオファー情報を受信するオファー情報受信手段と、前記オファー情報受信手段によって受信されたオファー情報を記憶するオファー情報記憶手段と、前記端末装置からの要求に応じて、前記オファー情報記憶手段に記憶されたオファー情報を前記端末装置に送信するオファー情報送信手段と、を備えることを特徴とする。【００１０】
請求項１１に記載の発明は、媒体に記録されたコンテンツの再生及び記録を行う装置によって実行される情報処理方法において、前記コンテンツのコピーを行う際の条件を示すオファー情報を、コピー管理サーバから受信するオファー情報受信工程と、前記オファー情報受信工程で受信されたオファー情報をサーバ装置に登録するために、前記オファー情報を前記サーバ装置に送信するオファー情報送信工程と、を備えることを特徴とする。【００１１】
請求項１２に記載の発明は、媒体に記録されたコンテンツの再生及び記録を行う装置によって実行される情報処理方法において、前記コンテンツのコピーを行う際の条件を示すオファー情報を、コピー管理サーバから受信する第１オファー情報受信工程と、前記第１オファー情報受信工程で受信されたオファー情報を記憶するオファー情報記憶工程と、前記オファー情報記憶工程で記憶されたオファー情報を送信するオファー情報送信工程と、を備えることを特徴とする。【００１２】
請求項１３に記載の発明は、媒体に記録されたコンテンツの再生及び記録を行う装置によって実行される情報処理方法において、前記コンテンツのコピーを行う際の条件を示すオファー情報を、コピー管理サーバから受信する第１オファー情報受信工程と、前記第１オファー情報受信工程で受信されたオファー情報に所定の処理を施す処理工程と、前記所定の処理が施されたオファー情報を記憶するオファー情報記憶工程と、前記オファー情報記憶工程で記憶されたオファー情報を送信するオファー情報送信工程と、を備えることを特徴とする。【００１３】
請求項１４に記載の発明は、情報処理方法において、請求項１乃至４のいずれか一項に記載の端末装置から、コンテンツのコピーを行う際の条件を示すオファー情報を受信するオファー情報受信工程と、前記オファー情報受信工程で受信されたオファー情報を記憶するオファー情報記憶工程と、前記端末装置からの要求に応じて、前記オファー情報記憶工程で記憶されたオファー情報を前記端末装置に送信するオファー情報送信工程と、を備えることを特徴とする。
【図面の簡単な説明】
【００１４】
【図１】本実施例における情報処理システムの構成を示す概略図である。
【図２】オファー情報の具体例を示す図である。
【図３】オファー情報管理リストの具体例を示す図である。
【図４】情報端末における表示例を示す図である。
【図５】登録用オファー情報をオファー情報管理サーバに登録するために行う処理を示すフローチャートである。
【図６】提示用オファー情報を参照するために行う処理を示すフローチャートである。
【図７】登録用オファー情報をオファー情報管理リストに追加するために行う処理を示すフローチャートである。
【図８】情報端末に提示用オファー情報を提供するために行う処理を示すフローチャートである。
【図９】変形例における情報処理システムの構成を示す概略図である。
【発明を実施するための形態】
【００１５】
本発明の１つの実施形態では、媒体に記録されたコンテンツの再生及び記録を行う端末装置は、前記コンテンツのコピーを行う際の条件を示すオファー情報を、コピー管理サーバから受信するオファー情報受信手段と、前記オファー情報受信手段によって受信されたオファー情報をサーバ装置に登録するために、前記オファー情報を前記サーバ装置に送信するオファー情報送信手段と、を備える。
【００１６】
上記の端末装置は、媒体に記録されたコンテンツの再生及び記録を行うことが可能に構成されている。例えば、ＢＤなどの高記録密度の光ディスクの再生及び記録を行う。オファー情報受信手段は、コピーを行う際の条件を示すオファー情報を、コピー管理サーバから受信する。オファー情報送信手段は、オファー情報をサーバ装置に登録するために、オファー情報をサーバ装置に送信する。こうすることで、複数のコンテンツのオファー情報をサーバ装置で管理することができ、複数のユーザでオファー情報を適切に共有することが可能となる。よって、例えば、実際にディスクを購入しなくても、そのディスクのオファー情報を事前に知ることが可能となる。
【００１７】
上記の端末装置の一態様では、前記媒体が挿入されることによって、当該媒体に記録されたコンテンツについてのオファー情報を前記コピー管理サーバに要求するオファー情報要求手段を有する。これにより、ユーザが要求するオファー情報を簡便に取得することが可能となる。
【００１８】
好適には、上記の端末装置は、コンテンツの再生回数に関する情報を前記サーバ装置に送信する送信手段を有する。これにより、サーバ装置において、コンテンツの再生回数を管理させることが可能となる。
【００１９】
上記の端末装置の他の一態様では、前記端末装置において前記コンテンツのコピーが行われた場合に、前記コピーが行われたことを示す情報を前記サーバ装置に送信する手段と、前記サーバ装置において、複数の前記端末装置から受信された前記コピーが行われたことを示す情報に基づいて生成された、人気のあるコンテンツのタイトルを示す情報を受信する手段と、前記人気のあるコンテンツのタイトルを示す情報に対応する画像を表示する手段と、を備える。これにより、人気のあるコピーリストをユーザに事前に提供することができるため、ディスクなどを購入する際にユーザの購買意欲を高めることが可能となる。
【００２０】
本発明の他の実施形態では、媒体に記録されたコンテンツの再生及び記録を行う端末装置は、前記コンテンツのコピーを行う際の条件を示すオファー情報を、コピー管理サーバから受信する第１オファー情報受信手段と、前記第１オファー情報受信手段によって受信されたオファー情報を記憶するオファー情報記憶手段と、前記オファー情報記憶手段に記憶されたオファー情報を送信するオファー情報送信手段と、を備える。
【００２１】
上記の端末装置は、受信されたオファー情報を記憶し、記憶されているオファー情報を送信する。具体的には、他の端末装置からの要求に応じて、記憶されているオファー情報を送信する。これによれば、サーバ装置はオファー情報そのものを管理する必要が無く、オファー情報を管理している端末の情報を管理すれば良いことになり、サーバ装置の負荷低減の効果がある。
【００２２】
上記の端末装置の一態様では、前記端末装置とは異なる端末装置が有する前記オファー情報記憶手段に記憶されたオファー情報を、当該端末装置が有する前記オファー情報送信手段から受信する第２オファー情報受信手段を備える。これにより、ユーザが要求するオファー情報を簡便に取得することが可能となる。
【００２３】
更に、前記オファー情報は、前記コンテンツにおいてコピーが許諾されるタイトル、及び前記タイトルをコピーするのに必要な価格を含む情報である。
【００２４】
本発明の他の実施形態では、サーバ装置は、請求項１乃至４のいずれか一項に記載の端末装置から、コンテンツのコピーを行う際の条件を示すオファー情報を受信するオファー情報受信手段と、前記オファー情報受信手段によって受信されたオファー情報を記憶するオファー情報記憶手段と、前記端末装置からの要求に応じて、前記オファー情報記憶手段に記憶されたオファー情報を前記端末装置に送信するオファー情報送信手段と、を備える。
【００２５】
上記のサーバ装置は、前述した端末装置の共有サーバとして構成される。具体的には、サーバ装置は、端末装置がコピー管理サーバより受信したオファー情報を、端末装置より受信する。そして、サーバ装置は、受信されたオファー情報を記憶すると共に、記憶されたオファー情報を、端末装置からの要求に応じて端末装置に送信する。これにより、複数のコンテンツのオファー情報を複数のユーザで適切に共有することができ、例えば、実際にディスクを購入しなくても、そのディスクのオファー情報を事前に知ることが可能となる。
【００２６】
上記のサーバ装置の一態様では、前記端末装置においてコピーが行われた場合に、前記コピーが行われたことを示す情報を前記端末装置から受信する手段と、複数の前記端末装置から受信された前記コピーが行われたことを示す情報に基づいて、人気のあるコンテンツのタイトルを示す情報を生成する手段と、前記人気のあるコンテンツのタイトルを示す情報を前記端末装置に送信する手段と、を備える。これにより、人気のあるコピーリストをユーザに事前に提供することができるため、ディスクなどを購入する際にユーザの購買意欲を高めることが可能となる。
【００２７】
上記のサーバ装置の他の一態様では、前記オファー情報記憶手段に既に前記オファー情報が記憶されているコンテンツと同一のコンテンツについての前記オファー情報が前記オファー情報受信手段によって受信された場合、既に記憶されている前記オファー情報を、受信された前記オファー情報によって更新又は追加する手段を備える。これにより、最新のオファー情報を記憶しておくことが可能となる。
【００２８】
また、本発明の他の実施形態では、媒体に記録されたコンテンツの再生及び記録を行う装置によって実行され、コピー管理サーバからオファー情報を受信し、オファー情報をサーバ装置に送信する情報処理方法が提供される。また、媒体に記録されたコンテンツの再生及び記録を行う装置によって実行され、コピー管理サーバから受信されたオファー情報を記憶し、記憶されているオファー情報を送信する情報処理方法が提供される。また、上記した端末装置から受信されたオファー情報を記憶すると共に、記憶されたオファー情報を端末装置からの要求に応じて送信する情報処理方法が提供される。また、媒体に記録されたコンテンツの再生及び記録を行う装置によって実行され、コピー管理サーバから受信されたオファー情報に所定の処理を施し、所定の処理が施されたオファー情報を記憶し、記憶されているオファー情報を送信する情報処理方法が提供される。
【実施例】
【００２９】
以下、図面を参照して本発明の好適な実施例について説明する。
［情報処理システム］
図１は、本実施例における情報処理システム１００の構成を示す概略図である。情報処理システム１００は、情報端末２ａ〜２ｃ、オファー情報管理サーバ４と、情報端末５と、を有する。情報処理システム１００では、主に、情報端末２ａ〜２ｃで取得されたオファー情報をオファー情報管理サーバ４に登録するための処理、及び、オファー情報管理サーバ４で管理されているオファー情報を情報端末２ａ〜２ｃ及び情報端末５に提示するための処理が行われる。【００３０】
情報端末２ａ〜２ｃは、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、マネージドコピーを行う機能を有すると共に、ネットワーク接続可能に構成されている。情報端末２ａ〜２ｃは、例えばＢＤなどのディスクを、再生及び記憶することが可能に構成されている。図１では、情報端末２ａ〜２ｃのそれぞれにディスク３ａ〜３ｃが挿入されている例を示している。情報端末２ａ〜２ｃは、それぞれ、マネージドコピーサーバ１ａ〜１ｃと通信を行うことで、矢印５１〜５３に示すように、ディスク３ａ〜３ｃについてのオファー情報を受信する。マネージドコピーサーバ１ａ〜１ｃは、コピー管理サーバに相当する。具体的には、ディスク３ａ〜３ｃのコンテンツ提供者やディスクの作成会社が有する、マネージドコピーに関する認証サーバである。オファー情報は、コンテンツのマネージドコピーを行う際の条件を示す情報である。具体的には、オファー情報は、コンテンツにおいてコピーが許諾されるタイトル、及びそのタイトルをコピーするのに必要な価格等の情報がリスト化された情報である。【００３１】
詳しくは、情報端末２ａ〜２ｃは、ディスク３ａ〜３ｃが挿入された際に、マネージドコピーサーバ１ａ〜１ｃに対してリクエストオファーを出すことでオファー情報を受信する。つまり、情報端末２ａ〜２ｃは、ディスク３ａ〜３ｃ内のコンテンツのマネージドコピーが行われるか否かに関わらず、オファー情報を取得するための処理を行う。図１では、情報端末２ａ〜２ｃにおいて受信されたオファー情報を、それぞれ符号２ａａ〜２ｃａで示している。情報端末２ａ〜２ｃは、このように受信されたオファー情報の内容を表示部（不図示）に表示する。【００３２】
情報端末２ａ〜２ｃは、それぞれ、マネージドコピーサーバ１ａ〜１ｃから受信されたオファー情報をオファー情報管理サーバ４に登録するために、矢印６１〜６３に示すように当該オファー情報をオファー情報管理サーバ４に送信する。なお、情報端末２ａ〜２ｃは、マネージドコピーサーバ１ａ〜１ｃから受信されたオファー情報と同一の情報をそのままオファー情報管理サーバ４に送信することに限定はされず、マネージドコピーサーバ１から受信されたオファー情報に基づいて所定の処理を行った後の情報をオファー情報管理サーバ４へ送信しても良い。また、情報端末２ａ〜２ｃは、このようなオファー情報に加えて、ディスク３ａ〜３ｃの再生回数の情報も、オファー情報管理サーバ４へ送信しても良い。【００３３】
情報端末２ａ〜２ｃは、オファー情報管理サーバ４に要求を出すことで、矢印６５〜６７に示すように、オファー情報管理サーバ４から所望のオファー情報を受信する。例えば、ユーザが、オファー情報を参照したいディスクを特定するための操作を情報端末２ａ〜２ｃに対して行うことで、情報端末２ａ〜２ｃは、その特定されたディスクのオファー情報をオファー情報管理サーバ４から受信する。情報端末２ａ〜２ｃは、こうして受信されたオファー情報の内容を表示部（不図示）に表示する。このように、情報端末２ａ〜２ｃは、本発明における端末装置に相当する。具体的には、情報端末２ａ〜２ｃは、オファー情報受信手段、オファー情報送信手段、及びオファー情報要求手段として機能する。【００３４】
以下では、情報端末２ａ〜２ｃを区別しないで用いる場合には、単に「情報端末２」と表記する。また、マネージドコピーサーバ１ａ〜１ｃを区別しないで用いる場合には、単に「マネージドコピーサーバ１」と表記する。なお、図１に示すように、３つの情報端末２ａ〜２ｃで情報処理システム１００を構成することに限定はされない。４以上の情報端末２で情報処理システム１００を構成しても良い。【００３５】
オファー情報管理サーバ４は、オファー情報データベース４ａ、及び図示しないＣＰＵ、ＲＯＭ、ＲＡＭなどを備え、情報端末２ａ〜２ｃ、５の共有サーバとして構成されている。オファー情報管理サーバ４は、それぞれ、情報端末２ａ〜２ｃから、矢印６１〜６３に示すようにディスク３ａ〜３ｃについてのオファー情報を受信する。オファー情報管理サーバ４は、こうして受信されたオファー情報をオファー情報データベース４ａに記憶させる。オファー情報データベース４ａには、例えばディスクごとに、オファー情報がリスト化されて記憶される。以下、オファー情報データベース４ａにおいて管理されているリストを「オファー情報管理リスト」と呼ぶ。より詳しくは、オファー情報管理サーバ４は、オファー情報データベース４ａに既にオファー情報が記憶されているコンテンツと同一のコンテンツについてのオファー情報が受信された場合に、必要に応じて、既に記憶されているオファー情報を、受信されたオファー情報によって更新又は追加する。【００３６】
オファー情報管理サーバ４は、情報端末２ａ〜２ｃ及び情報端末５からの要求に応じて、このようにオファー情報データベース４ａに記憶されているオファー情報を、矢印６５〜６７、７１に示すように送信する。具体的には、オファー情報管理サーバ４は、オファー情報データベース４ａを検索することで、情報端末２ａ〜２ｃ及び情報端末５からの要求に応じたオファー情報を取得して、これを情報端末２ａ〜２ｃ及び情報端末５に送信する。なお、オファー情報管理サーバ４は、情報端末２から受信されたオファー情報と同一の情報をそのまま情報端末２に送信することに限定はされず、情報端末２から受信されたオファー情報に基づいて所定の処理を行った後のオファー情報を情報端末２へ送信しても良い。【００３７】
また、オファー情報管理サーバ４は、情報端末２ａ〜２ｃにおいてマネージドコピーが行われた場合に、マネージドコピーが行われたことを示す情報を情報端末２ａ〜２ｃから受信する。マネージドコピーが行われたことを示す情報には、マネージドコピーが行われたディスク名やタイトルの情報が含まれる。このような情報を受信することで、オファー情報管理サーバ４は、タイトルごとに、複数のユーザによるコピー履歴を管理する。そして、オファー情報管理サーバ４は、情報端末２ａ〜２ｃから受信されたマネージドコピーが行われたことを示す情報から、人気のあるコンテンツのタイトルを示す情報（以下、「人気のあるコピーリスト」とも呼ぶ。）を生成する。具体的には、オファー情報管理サーバ４は、複数のユーザがコピーしたタイトルの履歴や、あるタイトルについてオファー情報が登録された回数などをデータベース化することで、人気のあるコピーリストを生成する。そして、オファー情報管理サーバ４は、生成された人気のあるコピーリストを情報端末２ａ〜２ｃ及び情報端末５に送信する。こうして送信された人気のあるコピーリストは、情報端末２ａ〜２ｃ及び情報端末５が有する表示部（不図示）に表示される。このように、オファー情報管理サーバ４は、本発明におけるサーバ装置に相当する。具体的には、オファー情報管理サーバ４は、オファー情報受信手段、オファー情報記憶手段、及びオファー情報送信手段として機能する。【００３８】
情報端末５は、図示しないＣＰＵ、ＲＯＭ及びＲＡＭなどを備え、オファー情報管理サーバ４にアクセス可能に構成されている。情報端末５は、ＢＤなどのディスクを扱うディスクショップやオンラインショップに設けられる。情報端末５は、ディスク３ｄのパッケージに付されたバーコードやＩＳＡＮ(Ｉｎｔｅｒｎａｔｉｏｎａｌ  Ｓｔａｎｄａｒｄ  Ａｕｄｉｏｖｉｓｕａｌ  Ｎｕｍｂｅｒ）コードなどを読み取ることで得られた情報（以下、「ディスク識別情報」とも呼ぶ。）に基づいて、そのディスク３ｄを識別する。このようにディスク３ｄを識別するのは、新品のディスクのパッケージを開封して、これを再生等することができないからである。【００３９】
そして、情報端末５は、識別されたディスク３ｄのオファー情報についての要求をオファー情報管理サーバ４に対して出すことで、矢印７１に示すようにディスク３ｄのオファー情報を受信する。図１では、受信されたオファー情報を符号５ａで示している。情報端末５は、受信されたオファー情報の内容を表示部（不図示）に表示する。このように、情報端末５は、本発明における端末装置に相当する。なお、以下では、情報端末５を情報端末２と区別しないで用いる場合には、情報端末２に統一して表記するものとする。【００４０】
このように、本実施例における情報処理システム１００では、ディスクを購入したユーザが有する情報端末２が、マネージドコピーサーバ１からオファー情報を取得して、そのオファー情報をオファー情報管理サーバ４に登録する。そして、オファー情報管理サーバ４がオファー情報を管理する。これにより、複数のディスクのオファー情報を複数のユーザで適切に共有することができる。よって、実際にディスクを購入しなくても、そのディスクで認められているコピー内容や価格等の情報を事前に知ることが可能となる。また、情報処理システム１００で行われる処理は、特定のコンテンツプロバイダーやマネージドコピーの認証サーバに依存しないものであるため、タイトルによらずに、ユーザから統一的に情報を取得することができる。更に、本実施例によれば、人気のあるコピーリストをユーザに事前に提供することができるため、ディスクを購入する際にユーザの購買意欲を高めることが可能となる。【００４１】
更に、本実施例における情報端末５によれば、ＢＤなどのディスクを扱うディスクショップなどにおいて、ディスクについてのオファー情報を、その場で瞬時にユーザに知らせることが可能となる。【００４２】
ここで、本実施例におけるオファー情報とＣＤＤＢ(Ｃｏｍｐａｃｔ  Ｄｉｓｃ  ＤａｔａＢａｓｅ)とを比較する。ＣＤではＣＤＤＢというデータベースを使って、ＣＤのＴＯＣ情報をサーバに送ると、ＣＤ内の曲名リストなどが取得できるサービスがある。このようなＣＤＤＢに対するオファー情報の特徴としては、（１）コンテンツに関する情報量が多い、（２）コンテンツホルダが提供する情報なので、ユーザによる入力間違いなどがなく、正確な情報の入手が可能、などが挙げられる。
［オファー情報の具体例］
次に、図２乃至図４を参照して、オファー情報などの具体例について説明する。【００４３】
ここでは、情報端末２が、マネージドコピーサーバ１から受信されたオファー情報に基づいて所定の処理を行った後のオファー情報をオファー情報管理サーバ４へ送信すると共に、オファー情報管理サーバ４が、情報端末２から受信されたオファー情報に基づいて所定の処理を行った後のオファー情報を情報端末２へ送信する場合について説明する。つまり、情報端末２がマネージドコピーサーバ１から受信するオファー情報と、情報端末２がオファー情報管理サーバ４に対して送信するオファー情報と、オファー情報管理サーバ４が情報端末２に対して送信するオファー情報とが異なる場合について説明する。【００４４】
以下では、情報端末２がリクエストオファーを出すことでマネージドコピーサーバ１から受信するオファー情報を、「元オファー情報」と呼ぶ。また、情報端末２がオファー情報管理サーバ４に登録するためにオファー情報管理サーバ４に対して送信するオファー情報を、「登録用オファー情報」と呼ぶ。また、オファー情報管理サーバ４が情報端末２からの要求に応じて情報端末２に対して送信するオファー情報を、「提示用オファー情報」と呼ぶ。【００４５】
図２は、オファー情報の具体例を示す図である。図２（ａ）は、元オファー情報の一例を示している。元オファー情報は、マネージドコピーサーバ１に記憶されている情報である。図示のように、元オファー情報は、「マネージドコピー（ＭＣ）ユニット番号」、「タイトル名」、「タイトル概要」、「タイトル詳細」、「パッケージ写真」、「言語」、「価格」、「解像度」、「フレームレート」、「ビデオのビットレート情報」、「ビデオコーデック」、「ビットレート」、「オーディオコーデック」、「チャンネル数」などを有する。元オファー情報において、「タイトル名」はコピー可能なタイトルの名前に相当し、「価格」はコピー可能なタイトルをコピーするのに必要な価格に相当する。【００４６】
図２（ｂ）は、登録用オファー情報の一例を示している。登録用オファー情報は、情報端末２によって生成される。図示のように、登録用オファー情報は、「タイトル名」、「タイトル概要」、「価格」、「解像度」、「ビデオのビットレート情報」、「ビデオコーデック」、「ビットレート」、「オーディオコーデック」などを有する。これより、登録用オファー情報は、図２（ａ）に示した元オファー情報よりも情報量が少ないことがわかる。【００４７】
情報端末２は、マネージドコピーサーバ１より受信された元オファー情報から所定の情報を除いた情報を、登録用オファー情報として生成する。つまり、情報端末２は、元オファー情報よりも少ない情報量の登録用オファー情報を、オファー情報管理サーバ４に送信する。具体的には、情報端末２は、元オファー情報の中で、そのディスクでどういったコピーが許可されているか、また、そのコピーにかかる価格はいくらなのか、といった内容を最低限含むような情報を、登録用オファー情報として生成する。【００４８】
図２（ｃ）は、提示用オファー情報の一例を示している。提示用オファー情報は、オファー情報管理サーバ４によって生成される。図示のように、提示用オファー情報は、「タイトル名」、「タイトル概要」、「価格」、「解像度」、「ビデオのビットレート情報」、「ビデオコーデック」、「ビットレート」、「オーディオコーデック」、「累積コピー回数」などを有する。これより、提示用オファー情報は、図２（ｂ）に示した登録用オファー情報に対して「累積コピー回数」が付加されていることがわかる。【００４９】
「累積コピー回数」は、コンテンツのタイトルがコピーされた回数の累計を示す情報であり、タイトルごとに設定される。つまり、累積コピー回数は、複数のユーザがコピーしたタイトルの履歴に相当する。累積コピー回数が大きいほど、人気が高いタイトルであると言える。オファー情報管理サーバ４は、複数の情報端末２からマネージドコピーが行われたことを示す情報が取得されるごとに、コピーされた回数をインクリメントしていくことで、累積コピー回数の情報を生成する。【００５０】
また、提示用オファー情報において、「価格」は、同一の情報端末２でのコピー回数やコピーを行う時期などを考慮した、タイトルをコピーするのに必要な価格に相当する。つまり、当該価格は、コピー回数が１回目、２回目、・・・、ｎ回目である場合の価格や、コピーするのに必要な価格が割引されるキャンペーン時期などを考慮した価格を含む。オファー情報管理サーバ４は、複数の情報端末２から取得される登録用オファー情報に基づいて、このような価格の情報を生成する。例えば、オファー情報管理サーバ４は、コピーするのに必要な価格がキャンペーン時期によって変更された場合に、変更前の価格を変更後の価格によって更新することで、提示用オファー情報における価格の情報を生成する。この場合、キャンペーン時期が終わると変更前の価格に戻るような場合には、変更前の価格の情報を破棄せずに保持しておいても良い。【００５１】
図３は、オファー情報管理サーバ４が管理するオファー情報管理リストの具体例を示す図である。図３（ａ）はディスクＸのオファー情報管理リストの一例を示しており、図３（ｂ）はディスクＹのオファー情報管理リストの一例を示している。ディスクＸには、Ｎｏ．１とＮｏ．２との２話から構成されるドラマが記録されており、ディスクＹには、Ｎｏ．１〜Ｎｏ．１０までの１０曲からなる音楽のタイトルが記録されているものとする。オファー情報管理リストは、オファー情報管理サーバ４によって、情報端末２から受信される登録用オファー情報に基づいて生成される。【００５２】
図３（ａ）及び図３（ｂ）に示すように、オファー情報管理リストでは、「全て」、「パーシャル１」、「パーシャル２」について、「コピー可能なタイトルＮｏ．」、「解像度」、「コピー先のメディア」、「価格」、及び「累積コピー回数」の情報が対応付けられて管理されている。具体的には、「解像度」は「１９２０×１０８０」及び「７２０×４８０」のいずれかを示しており、「コピー先のメディア」は「ＢＤ−Ｒ／ＲＥメディア」及び「ＳＤカード」のいずれかを示している。また、「価格」は、コピー回数が１回目、２回目、及びｎ回目（ｎ≧３）である場合におけるコピーするのに必要な価格を示しており、期間限定などのキャンペーン情報が含まれている。キャンペーン情報は、コピーするのに必要な価格が割引される時期、及びその時期においてコピーするのに必要な価格を有する情報である。なお、キャンペーン情報は、期間限定における期間が過ぎた場合などに消去される。【００５３】
図４は、情報端末２における表示例を示す。図４（ａ）は、提示用オファー情報についての表示例を示す。ここでは、図３（ｂ）に示したディスクＹの提示用オファー情報についての表示例を示す。図４（ａ）に示すように、「全て」、「パーシャル１」、「パーシャル２」について、「コピー可能なタイトルＮｏ．」、「解像度」、「コピー先のメディア」、「価格」、「累積コピー回数」、及び「概要」の情報が対応付けられた内容が表示される。「解像度」や「コピー先のメディア」や「価格」は、図３（ａ）及び図３（ｂ）に示したものと同様である。【００５４】
なお、情報端末２は、提示用オファー情報を表示する場合に、累積コピー回数に応じて、表示するタイトルの順を並べ替えることができる。つまり、情報端末２は、人気の高い順にタイトルを並べ替えて、言い換えるとコピーランキングに応じてタイトルを並べ替えて、特定のディスクについての提示用オファー情報を表示することができる。これにより、ユーザは、コピーランキングを参考にしてマネージドコピーを行うことができる。【００５５】
図４（ｂ）は、人気のあるコピーリストの表示例を示す。前述したように、人気のあるコピーリストは、オファー情報管理サーバ４によって生成されて情報端末２に送信される情報である。図４（ｂ）に示すように、人気が高い順にディスクが並べられて、つまり累積コピー回数が大きい順にディスクが並べられて、情報が表示される。具体的には、各ディスクについて、「タイトル」、「累積コピー回数」、「解像度」、「コピー先のメディア」、「価格」、及び「概要」の情報が対応付けられた内容が表示される。「解像度」及び「コピー先のメディア」は、図３（ａ）及び図３（ｂ）に示したものと同様である。【００５６】
図４（ｂ）に示すような人気のあるコピーリストを表示することにより、ディスクを購入する際にユーザの購買意欲を高めることが可能となる。
［情報端末及びオファー情報管理サーバでの処理］
次に、図５乃至図８を参照して、情報端末２、５及びオファー情報管理サーバ４での処理について具体的に説明する。【００５７】
図５は、情報端末２が登録用オファー情報をオファー情報管理サーバ４に登録するために行う処理を示すフローチャートである。この処理は、ユーザによってディスクが情報端末２に挿入された後に行われる。例えば、当該処理は、情報端末２内のＣＰＵが、ＲＯＭに記憶されたプログラムを読み出すことで実行される。【００５８】
まず、ステップＳ１０１では、情報端末２は、マネージドコピーサーバ１に対してリクエストオファーを出すことで、マネージドコピーサーバ１から、情報端末２に挿入されたディスクについての元オファー情報を受信する。そして、処理はステップＳ１０２に進む。【００５９】
ステップＳ１０２では、情報端末２は、情報端末２に挿入されたディスクについての登録用オファー情報をオファー情報管理サーバ４に登録するために、その登録用オファー情報をオファー情報管理サーバ４に対して送信する。具体的には、情報端末２は、ステップＳ１０１で受信された元オファー情報から不要な情報を除くことで登録用オファー情報を生成して、その登録用オファー情報をオファー情報管理サーバ４に対して送信する。この場合、情報端末２は、元オファー情報の中で、そのディスクでどういったコピーが許可されているか、また、そのコピーにかかる価格はいくらなのか、といった内容を最低限含むような情報を、登録用オファー情報として生成する。ステップＳ１０２の処理が終了すると、図５に示す処理は終了する。【００６０】
なお、情報端末２は、登録用オファー情報を登録しようとしているディスクが、既にオファー情報管理サーバ４に登録されているか否かに関わらず、その登録用オファー情報をオファー情報管理サーバ４に対して送信する。【００６１】
図６は、情報端末５がオファー情報管理サーバ４から提示用オファー情報を参照するために行う処理を示すフローチャートである。前述したように、情報端末５は、ＢＤなどのディスクを扱うディスクショップやオンラインショップに設けられる。例えば、当該処理は、情報端末５内のＣＰＵが、ＲＯＭに記憶されたプログラムを読み出すことで実行される。【００６２】
まず、ステップＳ２０１では、情報端末５は、ディスクのパッケージに付されたバーコードやＩＳＡＮコードなどを読み取ることで得られた情報、即ちディスク識別情報に基づいて、そのディスクを識別する。例えば、ＢＤショップにおいて、バーコードリーダーによって、ディスクのパッケージに付されたバーコードが読み取られる。そして、処理はステップＳ２０２に進む。【００６３】
ステップＳ２０２では、情報端末５は、ステップＳ２０１で識別されたディスクのオファー情報についての要求を、オファー情報管理サーバ４に対して出すことで、そのディスクの提示用オファー情報を受信する。そして、処理はステップＳ２０３に進む。ステップＳ２０３では、情報端末５は、ステップＳ２０２で受信された提示用オファー情報の内容を表示する。例えば、図４（ａ）に示したような内容を表示する。そして、処理は終了する。【００６４】
図７は、オファー情報管理サーバ４が登録用オファー情報をオファー情報管理リストに追加するために行う処理を示すフローチャートである。例えば、当該処理は、オファー情報管理サーバ４内のＣＰＵが、ＲＯＭに記憶されたプログラムを読み出すことで実行される。【００６５】
まず、ステップＳ３０１では、オファー情報管理サーバ４は、情報端末２から登録用オファー情報を受信する。そして、処理はステップＳ３０２に進む。【００６６】
ステップＳ３０２では、オファー情報管理サーバ４は、ステップＳ３０１で受信された登録用オファー情報が新規であるか否かを判定する。具体的には、オファー情報管理サーバ４は、既に登録用オファー情報が登録されているディスクについての登録用オファー情報が受信されていないか否かを判定する。【００６７】
登録用オファー情報が新規である場合（ステップＳ３０２；Ｙｅｓ）、処理はステップＳ３０３に進む。ステップＳ３０３では、オファー情報管理サーバ４は、ステップＳ３０１で受信された登録用オファー情報を、オファー情報管理リストに追加する、言い換えるとオファー情報データベース４ａに記憶させる。そして、処理は終了する。【００６８】
これに対して、登録用オファー情報が新規でない場合（ステップＳ３０２；Ｎｏ）、処理は終了する。この場合には、オファー情報管理サーバ４は、ステップＳ３０１で受信された登録用オファー情報をオファー情報管理リストに追加しない。【００６９】
なお、登録用オファー情報が新規でない場合であっても、その登録用オファー情報をオファー情報管理リストに追加しても良い。前述したように、キャンペーン時期などによって登録用オファー情報の価格の情報が変更される場合があるため、最新の登録用オファー情報をオファー情報管理リストに追加するほうが望ましい場合もあるからである。【００７０】
図８は、オファー情報管理サーバ４が情報端末２に提示用オファー情報を提供するために行う処理を示すフローチャートである。例えば、当該処理は、オファー情報管理サーバ４内のＣＰＵが、ＲＯＭに記憶されたプログラムを読み出すことで実行される。【００７１】
まず、ステップＳ４０１では、オファー情報管理サーバ４は、情報端末２からディスク情報を受信する。具体的には、オファー情報管理サーバ４は、情報端末２において提示用オファー情報を参照しようとしているディスクを特定する情報を受信する。即ち、情報端末２からの要求を受信する。そして、処理はステップＳ４０２に進む。【００７２】
ステップＳ４０２では、オファー情報管理サーバ４は、オファー情報管理リストを検索することで、ステップＳ４０１で特定されたディスクについての提示用オファー情報を取得する。そして、処理はステップＳ４０３に進む。ステップＳ４０３では、オファー情報管理サーバ４は、ステップＳ４０２で取得された提示用オファー情報を情報端末２に送信する。そして、処理は終了する。【００７３】
このような図５乃至図８に示した処理によれば、複数のディスクのオファー情報を複数のユーザで適切に共有することができ、実際にディスクを購入しなくても、そのディスクで認められているコピー内容や価格等の情報を知ることが可能となる。【００７４】
なお、図２乃至図８を用いた説明では、元オファー情報と登録用オファー情報とが異なる例を示したが、元オファー情報と同一の情報を登録用オファー情報として用いても良い。つまり、情報端末２が、マネージドコピーサーバ１から受信されたオファー情報と同一の情報を、そのままオファー情報管理サーバ４へ送信することとしても良い。また、登録用オファー情報と提示用オファー情報とが異なる例を示したが、登録用オファー情報と同一の情報を提示用オファー情報として用いても良い。つまり、オファー情報管理サーバ４が、情報端末２から受信されたオファー情報と同一の情報を、そのまま情報端末２へ送信することとしても良い。更に、元オファー情報と同一の情報を、登録用オファー情報及び提示用オファー情報として用いても良い。
［変形例］
次に、図９を参照して、変形例における情報処理システムについて説明する。図９は、変形例における情報処理システム１０１の構成を示す概略図である。情報処理システム１０１は、情報端末７ａ〜７ｃ及び情報端末５を有する。なお、図１と同一の符号を付した構成要素は同一の意味を有するものとして、その説明を省略する。【００７５】
情報処理システム１０１は、情報端末２ａ〜２ｃの代わりに情報端末７ａ〜７ｃを具備する点、及びオファー情報管理サーバ４を具備しない点で、情報処理システム１００と異なる。情報処理システム１０１は、情報端末７ａ〜７ｃで過去に蓄積したオファー情報を保存する共有用のエリアを設けて、Ｐ２Ｐ（Ｐｅｅｒ  ｔｏ  Ｐｅｅｒ）で接続することにより、オファー情報を共有する。こうすることで、オファー情報管理サーバ４を具備しなくても、情報処理システム１００と同様な効果を得ることができる。【００７６】
情報端末７ａ〜７ｃについて具体的に説明する。以下では、情報端末７ａ〜７ｃを区別しないで用いる場合には、単に「情報端末７」と表記する。【００７７】
情報端末７ａ〜７ｃは、オファー情報データベース７ａｂ〜７ｃｂ、及び図示しないＣＰＵ、ＲＯＭ、ＲＡＭなどを備える。情報端末７ａ〜７ｃは、それぞれＰ２Ｐによって接続されていると共に、マネージドコピーを行う機能を有する。情報端末７ａ〜７ｃは、例えばＢＤなどのディスクを、再生及び記憶することが可能に構成されている。図９では、情報端末７ａ〜７ｃのそれぞれにディスク３ａ〜３ｃが挿入されている例を示している。情報端末７ａ〜７ｃは、それぞれ、マネージドコピーサーバ１ａ〜１ｃと通信を行うことで、矢印５１〜５３に示すように、ディスク３ａ〜３ｃについてのオファー情報を受信する。詳しくは、情報端末７ａ〜７ｃは、ディスク３ａ〜３ｃが挿入された際に、マネージドコピーサーバ１ａ〜１ｃに対してリクエストオファーを出すことでオファー情報を受信する。つまり、情報端末７ａ〜７ｃは、ディスク３ａ〜３ｃ内のコンテンツのマネージドコピーが行われるか否かに関わらず、オファー情報を取得するための処理を行う。図９では、情報端末７ａ〜７ｃにおいて受信されたオファー情報を、それぞれ符号７ａａ〜７ｃａで示している。情報端末７ａ〜７ｃは、このように受信されたオファー情報の内容を表示部（不図示）に表示する。【００７８】
情報端末７ａ〜７ｃは、それぞれ、マネージドコピーサーバ１ａ〜１ｃから受信されたオファー情報を、オファー情報データベース７ａｂ〜７ｃｂに記憶させる。オファー情報データベース７ａｂ〜７ｃｂは、情報端末７ａ〜７ｃで過去に蓄積したオファー情報を保存するための共有用のエリアである。なお、情報端末７ａ〜７ｃは、マネージドコピーサーバ１ａ〜１ｃから受信されたオファー情報について、そのディスクでどういったコピーが許可されているか、また、そのコピーにかかる価格はいくらなのか、といった内容を最低限含むような情報のみを、オファー情報データベース７ａｂ〜７ｃｂに記憶させても良い。つまり、マネージドコピーサーバ１ａ〜１ｃから受信されたオファー情報から不要な情報を除いた情報を記憶させても良い。【００７９】
また、情報端末７ａ〜７ｃは、矢印８１に示すように、他の情報端末７ａ〜７ｃからの要求に応じてオファー情報を送信すると共に、他の情報端末７ａ〜７ｃに要求を出すことでオファー情報を受信する。つまり、情報端末７ａ〜７ｃは、オファー情報データベース７ａｂ〜７ｃｂに記憶されたオファー情報の授受を行う。例えば、ユーザが、オファー情報を参照したいディスクを特定するための操作を情報端末７ａ〜７ｃに対して行うことで、情報端末７ａ〜７ｃは、その特定されたディスクのオファー情報についての要求を出す。更に、情報端末７ａ〜７ｃは、受信されたオファー情報の内容を表示部（不図示）に表示する。このように、情報端末７ａ〜７ｃは、本発明における端末装置に相当する。具体的には、情報端末７ａ〜７ｃは、第１オファー情報受信手段、オファー情報記憶手段、オファー情報送信手段、及び第２オファー情報受信手段として機能する。【００８０】
以上のような情報処理システム１０１によっても、複数のディスクのオファー情報を複数のユーザで共有することができ、実際にディスクを購入しなくても、そのディスクで認められているコピー内容や価格等の情報を知ることが可能となる。また、情報処理システム１０１で行われる処理は、ある特定のコンテンツプロバイダーやマネージドコピーの認証サーバに依存しないものであるため、タイトルによらずに、ユーザから統一的に情報を取得することができる。更に、情報処理システム１０１によれば、サーバ装置はオファー情報そのものを管理する必要が無く、オファー情報を管理している端末の情報を管理すれば良いことになり、サーバ装置の負荷低減の効果がある。【００８１】
なお、図９に示すように、３つの情報端末７ａ〜７ｃで情報処理システム１０１を構成することに限定はされない。４以上の情報端末７で情報処理システム１０１を構成しても良い。また、各情報端末７にどういったディスクのオファー情報が記憶されているかを管理するセンターを用いて、情報処理システムを構成しても良い。つまり、センターを用いて、各情報端末７に記憶されているオファー情報を管理しても良い。【００８２】
なお、上記した実施例及び変形例で示したようなオファー情報に加えて、コンテンツをコピーした場合の画質や解像度を評価できるサンプル映像も共有しても良い。例えば、このようなサンプル映像は、数秒の映像で構成され、マネージドコピーサーバ１より配信される。
【産業上の利用可能性】
【００８３】
本発明は、ＢＤなどの記録／再生を行う装置や、ＢＤなどのディスクを扱うディスクショップやオンラインショップに設けられる装置に利用することができる。
【符号の説明】
【００８４】
１ａ、１ｂ、１ｃ  マネージドコピーサーバ
２ａ、２ｂ、２ｃ  情報端末
３ａ、３ｂ、３ｃ、３ｄ  ディスク
４  オファー情報管理サーバ
４ａ  オファー情報データベース
５  情報端末
７ａ、７ｂ、７ｃ  情報端末
１００、１０１  情報処理システム
【図１】
2011007407.tif 000003
【図２】
2011007407.tif 000004
【図３】
2011007407.tif 000005
【図４】
2011007407.tif 000006
【図５】
2011007407.tif 000007
【図６】
2011007407.tif 000008
【図７】
2011007407.tif 000009
【図８】
2011007407.tif 000010
【図９】
2011007407.tif 000011
【国際調査報告】
2011007407.tif 000012
2011007407.tif 000013
2011007407.tif 000014